【手続補正書】
【提出日】平成30年10月3日(2018.10.3)
【手続補正１】
【補正対象書類名】明細書
【補正対象項目名】０３９８
【補正方法】変更
【補正の内容】
【０３９８】
本書の技術は特定の実施形態を参照して説明されているが、当該実施形態は単に原理の例示であり、該技術の適用であると理解されるべきである。一部の適用例では、用語と記号は、該技術の実行に必須ではない特定の詳細を示唆することがある。例えば「ｆｉｒｓｔ」と「ｓｅｃｏｎｄ」という用語が使用された場合、別途指定のない限り、なんら順序を示す意図はなく、異なる要素を識別するために利用されている。さらに方法論におけるプロセスステップは、ある順序で説明、図示されているが、そのような順序は必須ではない。当業者は、そのような順序が変更され得て、および／またはその態様は同時にまたは同調して実施し得ることを認めるであろう。
それゆえ、例示的な実施形態に対して多数の変更が実行され得ること、および該技術の趣旨とスコープを逸脱することなく他の編成が考案され得ることが理解されるべきである。
【手続補正２】
【補正対象書類名】明細書
【補正対象項目名】０３９９
【補正方法】変更
【補正の内容】
【０３９９】
以下に例示的な実施形態を例示する。
[実施形態１] 
呼吸治療のためのマスク装置であって、
呼吸治療装置との連結に適して呼吸治療装置から患者の呼吸器系に加圧ガスを連通し得るところのフレーム構成部材と、
加圧ガスを送出するために患者の顔面になじむことに適合する発泡クッションとを備え、
該フレーム構成部材は該発泡クッションに重ね成型されて該フレーム構成部材および該発泡クッションの表面において化学結合および機械結合を形成することを特徴とするマスク装置。
[実施形態２] 
該発泡クッションは、鼻孔と口腔に共通の開口を有する三角リングを備える実施形態１のマスク装置。
[実施形態３] 
該フレーム構成部材は、プレナムチャンバのシェルを備える実施形態１から実施形態２のいずれか１項のマスク装置。
[実施形態４] 
該発泡クッションは、熱硬化性発泡材で形成される実施形態１から実施形態３のいずれか１項のマスク装置。
[実施形態５] 
該フレーム構成部材は、可塑性材料で形成される実施形態１から実施形態４のいずれか１項のマスク装置。
[実施形態６] 
該フレーム構成部材は、シリコーン材料で形成される実施形態１から実施形態４のいずれか１項のマスク装置。
[実施形態７] 
該化学結合は、第１化学結合を備える実施形態１から実施形態６のいずれか１項のマスク装置。
[実施形態８] 
該化学結合は、第２化学結合を備える実施形態１から実施形態７のいずれか１項のマスク装置。
[実施形態９] 
該機械結合は、該発泡クッションのサブ表面が該フレーム構成部材の材料に含浸することを備える請求項１から請求項８のいずれか１項のマスク装置。
[実施形態１０] 
該機械結合は、該発泡クッションのサブ表面が該フレーム構成部材の材料とインターロックすることを備える実施形態１から実施形態９のいずれか１項のマスク装置。
[実施形態１１] 
該機械結合は、機械式キーイングを備える実施形態１から実施形態１０のいずれか１項のマスク装置。 
[実施形態１２] 
該機械結合は、フック・ループ結合を備える実施形態１から実施形態１０のいずれか１項のマスク装置。
[実施形態１３] 
該フレーム構成部材および該発泡クッションは、接着剤を使うことなく結合される実施形態１から実施形態１２のいずれか１項のマスク装置。
[実施形態１４] 
該フレーム構成部材の材料は、熱可塑性ポリウレタンを含む請求項１から請求項１３のいずれか１項のマスク装置。
[実施形態１５] 
該発泡クッションは半開放セル発泡材である実施形態１から実施形態１４のいずれか１項のマスク装置。 
[実施形態１６] 
該発泡クッションは、概して平らなシール形成面を備える実施形態１から実施形態１５のいずれか１項のマスク装置。 
[実施形態１７] 
該発泡クッションは、概して湾曲したシール形成面を備える実施形態１から実施形態１５のいずれか１項のマスク装置。
[実施形態１８] 
さらに、呼吸用ガスの制御された供給を大気圧を超える圧力で生成するように構成された呼吸治療装置を備え、該呼吸治療装置は該フレーム構成部材に連結されて該呼吸用ガスを該フレーム構成部材に導くガス送出導管を含むところの実施形態１から実施形態１７のいずれか１項のマスク装置。
[実施形態１９] 
呼吸治療のためのマスク装置を製造する方法であって、
発泡クッションを成型のキャビティ内に位置調整するステップであって、該型の該キャビティはマスクフレーム構成部材を成形するためであるところの位置調整するステップと、
材料を該成型内に注入して該マスクフレーム構成部材を成形するステップとを備え、
該成形されたフレーム構成部材は該発泡クッションに重ね成型されて、該フレーム構成部材および該発泡クッションの表面で化学結合と機械結合を形成するところのマスク装置を製造する方法。
[実施形態２０] 
該発泡クッションは、鼻孔と口腔に共通の開口を有する三角リングを備える実施形態１９の方法。
[実施形態２１] 
該成型は、プレナムチャンバのシェルの形を含む実施形態１９から実施形態２０のいずれか１項の方法。
[実施形態２２] 
該発泡クッションは、熱硬化性発泡材で形成される実施形態１９から実施形態２１のいずれか１項の方法。
[実施形態２３] 
該注入材料はプラスティックである実施形態１９から実施形態２２のいずれか１項の方法。
[実施形態２４] 
該注入材料はシリコーンである実施形態１９から実施形態２２のいずれか１項の方法。
[実施形態２５] 
該化学結合は第１化学結合を備える実施形態１９から実施形態２４のいずれか１項の方法。
[実施形態２６] 
該化学結合は第２化学結合を備える実施形態１９から実施形態２５のいずれか１項の方法。
[実施形態２７] 
該機械結合は、該発泡クッションのサブ表面が該フレーム構成部材の材料に含浸することを備える実施形態１９から実施形態２６のいずれか１項の方法。
[実施形態２８] 
該機械結合は、該発泡クッションのサブ表面が該フレーム構成部材の材料とインターロックすることを備える実施形態１９から実施形態２７のいずれか１項の方法。
[実施形態２９] 
該機械結合は、機械式キーイングを備える実施形態１９から実施形態２８のいずれか１項の方法。
[実施形態３０] 
該機械結合は、フック・ループ結合を備える実施形態１９から実施形態２９のいずれか１項の方法。
[実施形態３１] 
該フレーム構成部材および該発泡クッションは、接着剤を使うことなく結合される実施形態１９から実施形態３０のいずれか１項の方法。
[実施形態３２] 
該フレーム構成部材の該注入材料はシリコーン／ポリウレタン共重合体を備える実施形態１９から実施形態２２および実施形態２５から実施形態３１のいずれか１項の方法。
[実施形態３３] 
該発泡クッションは透過性が制限されている半開放セル発泡材である実施形態１９から実施形態３２のいずれか１項の方法。
[実施形態３４] 
該注入は２０〜５０ＭＰａの圧力範囲で発生するところの実施形態１９から実施形態３３のいずれか１項の方法。
[実施形態３５] 
該注入は約２０ＭＰａの圧力で発生するところの実施形態３４の方法。
[実施形態３６] 
さらに、該発泡クッションに対してプレナムチャンバ形状の内側成型コアを挿入するステップを備える実施形態１９から実施形態３５のいずれか１項の方法。
【手続補正３】
【補正対象書類名】特許請求の範囲
【補正対象項目名】全文
【補正方法】変更
【補正の内容】
【特許請求の範囲】
【請求項１】
呼吸治療のためのマスク装置であって、
呼吸治療装置との連結に適して呼吸治療装置から患者の呼吸器系に加圧ガスを連通し得るところのフレーム構成部材と、
加圧ガスを送出するために患者の顔面になじむことに適合する発泡クッションとを備え、
該フレーム構成部材は該発泡クッションに重ね成型されて該フレーム構成部材および該発泡クッションの表面において化学結合および機械結合を形成することを特徴とするマスク装置。
【請求項２】
該発泡クッションは、鼻孔と口腔に共通の開口を有する三角リングを備える請求項１のマスク装置。
【請求項３】
該フレーム構成部材は、プレナムチャンバのシェルを備える請求項１から請求項２のいずれか１項のマスク装置。
【請求項４】
該発泡クッションは、半開放セル発泡材である、熱硬化性発泡材で形成される、のうち少なくとも一方である請求項１から請求項３のいずれか１項のマスク装置。
【請求項５】
該フレーム構成部材は、可塑性材料又はシリコーン材料で形成される請求項１から請求項４のいずれか１項のマスク装置。
【請求項６】
該化学結合は、第１化学結合、第２化学結合のうち少なくとも１つを備える請求項１から請求項５のいずれか１項のマスク装置。
【請求項７】
該機械結合は、該発泡クッションのサブ表面が該フレーム構成部材の材料に含浸すること、該発泡クッションのサブ表面が該フレーム構成部材の材料とインターロックすること、機械式キーイング、フック・ループ結合のうち少なくとも１つを備える請求項１から請求項６のいずれか１項のマスク装置。
【請求項８】
該フレーム構成部材および該発泡クッションは、接着剤を使うことなく結合される請求項１から請求項７のいずれか１項のマスク装置。
【請求項９】
該フレーム構成部材の材料は、熱可塑性ポリウレタンを含む請求項１から請求項８のいずれか１項のマスク装置。
【請求項１０】
該発泡クッションは、概して平らなシール形成面又は概して湾曲したシール形成面を備える請求項１から請求項９のいずれか１項のマスク装置。
【請求項１１】
さらに、呼吸用ガスの制御された供給を大気圧を超える圧力で生成するように構成された呼吸治療装置を備え、該呼吸治療装置は該フレーム構成部材に連結されて該呼吸用ガスを該フレーム構成部材に導くガス送出導管を含むところの請求項１から請求項１０のいずれか１項のマスク装置。
【請求項１２】
呼吸治療のためのマスク装置を製造する方法であって、
発泡クッションを成型のキャビティ内に位置調整するステップであって、該型の該キャビティはマスクフレーム構成部材を成形するためであるところの位置調整するステップと、
材料を該成型内に注入して該マスクフレーム構成部材を成形するステップとを備え、
該成形されたフレーム構成部材は該発泡クッションに重ね成型されて、該フレーム構成部材および該発泡クッションの表面で化学結合と機械結合を形成するところのマスク装置を製造する方法。
【請求項１３】
該発泡クッションは、鼻孔と口腔に共通の開口を有する三角リングを備える請求項１２の方法。
【請求項１４】
該成型は、プレナムチャンバのシェルの形を含む請求項１２から請求項１３のいずれか１項の方法。
【請求項１５】
該発泡クッションは、熱硬化性発泡材で形成される請求項１２から請求項１４のいずれか１項の方法。
【請求項１６】
該注入材料はプラスティック又はシリコーンである請求項１２から請求項１５のいずれか１項の方法。
【請求項１７】
該化学結合は第１化学結合、第２化学結合のうち少なくとも１つを備える請求項１２から請求項１６のいずれか１項の方法。
【請求項１８】
該機械結合は、該発泡クッションのサブ表面が該フレーム構成部材の材料に含浸すること、該発泡クッションのサブ表面が該フレーム構成部材の材料とインターロックすること、機械式キーイング、フック・ループ結合のうち少なくとも１つを備える請求項１２から請求項１７のいずれか１項の方法。
【請求項１９】
該フレーム構成部材および該発泡クッションは、接着剤を使うことなく結合される請求項１２から請求項１８のいずれか１項の方法。
【請求項２０】
該フレーム構成部材の該注入材料はシリコーン／ポリウレタン共重合体を備える請求項１２から請求項１５および請求項１７から請求項１９のいずれか１項の方法。
【請求項２１】
該注入は２０〜５０ＭＰａの圧力範囲で発生するところの請求項１２から請求項２０のいずれか１項の方法。
【請求項２２】
該注入は約２０ＭＰａの圧力で発生するところの請求項２１の方法。
【請求項２３】
さらに、該発泡クッションに対してプレナムチャンバ形状の内側成型コアを挿入するステップを備える請求項１２から請求項２２のいずれか１項の方法。